(57)【要約】      （修正有）【課題】飲料濃縮成分などの第１および第２流体を吐出するまで分離するための容器、ならびに組み付けおよび吐出の方法を提供する。【解決手段】容器は、吐出される第１および第２流体を含む第１および第２封入本体（１１１、１１３）と、封入本体からの流体を１つまたは複数のバルブまたは個々の排出経路に向ける、少なくとも一部が本体内に収容されるインサートとを有することができる。【選択図】図１０
2019031333.tif 000002
【特許請求の範囲】
【請求項１】
吐出前に第１液体と第２液体とを分離する容器であって、 
前記第１液体を含み、第１本体通路開口部を有する第１封入本体と、
前記第２液体を含み、第２本体通路開口部を有する第２封入本体であって、前記第２本
体通路開口部は前記第１本体通路開口部と隣接する第２封入本体と、
前記第１および第２本体のうちの少なくとも１つに固定された共有キャップであって、
第１吐出チャネルと第２吐出チャネルとを有し、これらのチャネルの各々が開放端部と吐
出孔を持つ端部とを有する共有キャップと、
前記第１および第２本体の前記通路開口部と前記共有キャップとの間に位置するインサ
ートであって、前記第１本体通路開口部と流体連結する上流入口と前記第１吐出チャネル
と流体連結する下流出口とを有する第１吐出経路と、前記第２本体通路開口部と流体連結
する上流入口と前記第２吐出チャネルと流体連結する下流出口とを有する第２吐出経路と
を画定し、前記上流入口の各々が前記吐出チャネルからオフセットしているインサートと
を備える容器。
【請求項２】
請求項１に記載の容器において、前記第１および第２吐出チャネルは、前記第１および
第２本体通路開口部の中心軸よりも近接する中心軸を有する容器。
【請求項３】
請求項１に記載の容器において、前記第１および第２本体通路開口部の各々は前記第１
および第２吐出チャネルの各々の最大断面積よりも大きな最大断面積を有する容器。
【請求項４】
請求項１に記載の容器において、前記共有キャップは開位置および閉位置を有する蓋を
含み、該蓋が閉位置にある場合、該蓋は前記吐出孔の各々を覆うように構成された容器。
【請求項５】
請求項１に記載の容器において、前記共有キャップは上壁と該上壁から延在する隆起し
た噴出口とを含み、該噴出口が２つの吐出孔を含む容器。
【請求項６】
請求項５に記載の容器において、前記噴出口は前記第１および第２吐出チャネルを分離
する壁を含む容器。
【請求項７】
請求項５に記載の容器において、前記それぞれの下流出口から流れる前記第１および第
２液体を、互いに向き合うように向け直し、第１および第２吐出チャネルにそれぞれ流入
するように構成された、第１デフレクタおよび第２デフレクタをさらに備える容器。
【請求項８】
請求項７に記載の容器において、前記第１および第２デフレクタの各々は前記それぞれ
の下流出口から流れる前記第１および第２液体を、前記第１および第２吐出チャネルを分
離する前記壁の方向に向け直す容器。
【請求項９】
請求項８に記載の容器において、前記第１および第２デフレクタの各々の少なくとも一
部は、前記第１および第２吐出経路のそれぞれの下流出口を覆う容器。
【請求項１０】
請求項１に記載の容器において、前記第１および第２本体の前記通路開口部と前記イン
サートとの間に位置するガスケットをさらに備える容器。
【請求項１１】
請求項１に記載の容器において、前記第１封入本体および前記第２封入本体は前記容器
内に並んで位置する容器。
【請求項１２】
請求項１に記載の容器において、前記第１封入本体および前記第２封入本体は、前記第
１封入本体を前記第２封入本体から分離するように構成された共有壁を共有する容器。
【請求項１３】
請求項１に記載の容器において、前記第１封入本体および前記第２封入本体は、一体の
ブロー成形または射出成形構造である容器。
【請求項１４】
第１液体および第２液体を請求項１に記載の容器から吐出する方法であって、
前記第１封入本体の内部容積を減少させて前記第１液体の少なくとも一部を前記第１封
入本体から出して、前記第１吐出チャネルの前記吐出孔から第１液体噴射で排出するステ
ップと、
前記第２封入本体の内部容積をほぼ同時に減少させて前記第２液体の少なくとも一部を
前記第２封入本体から出して、前記第２吐出チャネルの前記吐出孔から第２液体噴射で
排出するステップとを含む方法。
【請求項１５】
吐出前に第１液体と第２液体とを分離する容器であって、 
前記第１液体を含み、第１本体通路開口部を有する第１封入本体と、
前記第２液体を含み、第２本体通路開口部を有する第２封入本体であって、前記第２本
体通路開口部は前記第１本体通路開口部に隣接する第２封入本体と、
前記第１および第２本体のうちの少なくとも１つに固定された共有キャップであって、
第１吐出開口部および第２配開口部を有する共有キャップと、
前記第１および第２本体の前記通路開口部と前記共有キャップとの間に位置するインサ
ートであって、前記第１本体通路開口部と流体連通する上流入口と前記第１吐出開口部と
流体連通する下流出口とを有する第１吐出経路と、前記第２本体通路開口部と流体連通す
る上流入口と前記第２吐出開口部と流体連通する下流出口とを有する第２吐出経路とを画
定し、前記吐出経路の各々は、バルブであって、前記封入本体内の各々の圧力に応じて、
前記バルブの流れを制限する閉構成と前記バルブ内に流す開構成との間で移動可能なバル
ブを有するインサートとを備える容器。
【請求項１６】
請求項１５に記載の容器において、前記第１および第２本体通路開口部の各々は、前記
第１および第２吐出開口部の各々の最大断面積よりも大きな最大断面積を有する容器。
【請求項１７】
請求項１５に記載の容器において、前記共有キャップの上壁の第１および第２開口部を
通って延在する第１および第２の隆起した噴出口をさらに備え、該第１噴出口は第１吐出
孔を含み、該第２噴出口は第２吐出孔を含む容器。
【請求項１８】
請求項１７に記載の容器において、前記第１および第２噴出口はダックビルバルブであ
る容器。
【請求項１９】
請求項１５に記載の容器において、前記第１および第２本体の前記通路開口部と前記イ
ンサートとの間に位置するガスケットをさらに備える容器。
【請求項２０】
請求項１５に記載の容器において、前記第１封入本体および前記第２封入本体は前記容
器内に並んで位置する容器。
【請求項２１】
請求項１５に記載の容器において、前記第１封入本体および前記第２封入本体は該第１
封入本体を該第２封入本体から分離するように構成された共有壁を共有する容器。
【請求項２２】
請求項１５に記載の容器において、前記第１封入本体および前記第２封入本体は、一体
のブロー成形または射出成形構造である容器。
【請求項２３】
請求項１７に記載の容器において、前記第１および第２噴出口が相互に略平行である容
器。
【請求項２４】
請求項１５に記載の容器から第１液体および第２液体を吐出する方法であって、
前記第１封入本体の内部容積を減少させて前記第１液体の少なくとも一部を前記第１封入
本体から出して、前記第１吐出開口部の前記吐出孔から第１液体噴射で排出するステップ
と、
前記第２封入本体の内部容積をほぼ同時に減少させて前記第２液体の少なくとも一部を前
記第２封入本体から出して、前記第２吐出開口部の前記吐出孔から第２液体噴射で排出す
るステップとを含む方法。
【請求項２５】
吐出前に第１液体と第２液体とを分離する容器であって、 
前記第１液体を含み、第１本体通路開口部を有する第１封入本体と、
前記第２液体を含み、第２本体通路開口部を有する第２封入本体であって、前記第２本
体通路開口部が前記第１本体通路開口部に隣接する第２封入本体と、
前記第１および第２本体のうちの少なくとも１つに固定された共有キャップであって、
吐出孔を有する共有キャップと、
前記第１および第２本体の前記通路開口部と前記共有キャップとの間に位置するインサ
ートであって、前記第１および第２本体通路開口部と流体連通する上流入口と前記吐出孔
と流体連通する下流出口とを有する吐出経路を画定するインサートと、
バルブであって、前記吐出経路および前記吐出孔を通る流れを遮断して前記バルブの上流
で前記第１および第２液体を分離する閉位置から、前記吐出経路および前記吐出孔を通し
て前記第１および第２液体を前記容器から吐出する開位置まで移動可能なバルブとを備え
る容器。
【請求項２６】
請求項２５に記載の容器において、前記バルブが開位置にある場合、該バルブの上流で
前記インサートの前記下流出口の下流に混合チャンバが配置される容器。
【請求項２７】
請求項２５に記載の容器において、前記第１および第２本体の前記通路開口部と前記イ
ンサートとの間に位置するガスケットをさらに備える容器。
【請求項２８】
請求項２５に記載の容器であって、前記インサートは前記バルブを着座させるように構
成された弁座を含む容器。
【請求項２９】
請求項２５に記載の容器において、前記バルブは前記閉位置から前記開位置まで移動可
能な可撓性ダイヤフラムである容器。
【請求項３０】
請求項２５に記載の容器において、前記可撓性ダイヤフラムは、該可撓性ダイヤフラム
において１つまたは複数のフラップを形成する１つまたは複数のスリットを含む容器。
【請求項３１】
請求項２５に記載の容器において、前記第１封入本体および前記第２封入本体は前記容
器に並んで位置する容器。
【請求項３２】
請求項２５に記載の容器において、前記第１封入本体および前記第２封入本体は該第１
封入本体を該第２封入本体から分離するように構成された共有壁を共有する容器。
【請求項３３】
請求項２５に記載の容器において、前記第１封入本体および前記第２封入本体は、一体
のブロー成形または射出成形構造である容器。
【請求項３４】
請求項２５乃至請求項３２に記載の容器において、前記吐出経路の前記下流出口から流
出する前記第１および第２液体は前記共有壁に略平行に流れる容器。
【請求項３５】
請求項２５乃至請求項３２に記載の容器において、前記バルブは前記共有壁に略平行な
中心軸を有する容器。
【請求項３６】
請求項２５に記載の容器から第１液体および第２液体を吐出する方法であって、
前記第１封入本体の内部容積を減少させて、前記第１液体の少なくとも一部を前記第１封
入本体から出して前記吐出孔から排出するステップと、
前記第２封入本体の内部容積をほぼ同時に減少させて、前記第２液体の少なくとも一部を
前記第２封入本体から出して前記吐出孔から排出するステップとを含む方法。
【請求項３７】
吐出前に第１液体と第２液体とを分離する容器であって、 
前記第１液体を含み、第１本体通路開口部を有する第１封入本体と、
前記第２液体を含み、第２本体通路開口部を有する第２封入本体であって、前記第２本
体通路開口部が前記第１本体通路開口部に隣接する第２封入本体と、
共有キャップであって、該共有キャップを前記第１および第２本体にそれぞれ結合するよ
うに構成された第１および第２弓形フランジを含み、吐出孔を有する共有キャップと、
前記第１および第２本体の前記通路開口部と前記共有キャップとの間に位置するインサ
ートであって、第１吐出開口部および該第１吐出開口部の周りの第１管状部材と、第２吐
出開口部および該第２吐出開口部の周りの第２管状部材と、少なくとも一部が前記第１管
状部材の周りに位置し、前記インサートを前記第１封入本体に連結するように構成された
第１の対の弓形フランジと、少なくとも一部が前記第２管状部材の周りに位置し、前記イ
ンサートを前記第２封入本体に連結するように構成された第２の弓形フランジとを含み、
前記インサートの前記第１および第２管状部材と前記第１および第２吐出開口部は第１お
よび第２吐出経路を画定し、該経路は各々前記第１および第２本体通路開口部と流体連通
する上流入口と前記吐出孔と流体連通する下流出口とを有するインサートと、
バルブであって、前記第１および第２吐出経路から前記吐出孔への流れを遮断して前記バ
ルブの上流で前記第１および第２液体を分離する閉位置から、前記第１および第２吐出経
路と前記吐出孔とを通して前記第１および第２液体を前記容器から吐出する開位置まで移
動可能なバルブとを備える容器。
【請求項３８】
請求項３７に記載の容器において、前記インサートは前記吐出開口部を囲む上方に突出
する弁座を含む容器。
【請求項３９】
請求項３８に記載の容器において、フレキシブルバルブ部材は前記弁座に収容される容
器。
【請求項４０】
請求項３７に記載の容器において、前記第１および第２管状部材は少なくとも一部が前
記第１および第２本体通路開口部内にそれぞれ位置する容器。
【請求項４１】
請求項３７に記載の容器において、前記第１および第２管状部材は前記第１および第２
本体通路開口部の内面とそれぞれ摩擦嵌合する容器。
【請求項４２】
請求項３７に記載の容器において、前記第１および第２管状部材の各々の周りに位置す
るシールリングをさらに備える容器。
【請求項４３】
請求項３７に記載の容器において、前記インサートの前記第１および第２の対のフラン
ジは前記共有キャップの前記第１および第２弓形フランジの各々よりも短い容器。
【請求項４４】
請求項３７に記載の容器において、前記第１および第２封入本体の各々は頸状部と該頸
状部の周りに下方に延在する傾斜部とを含み、前記共有キャップの前記第１および第２弓
形フランジの各々は、前記第１および第２封入本体のそれぞれの前記傾斜部に連結するよ
うに構成された内側に延在する傾斜部を含む遠位部を有する容器。
【請求項４５】
請求項３７に記載の容器において、前記第１および第２封入本体は２つの分離された容
器である容器。
【請求項４６】
吐出前に第１液体と第２液体とを分離する容器であって、 
前記第１液体を含み、第１本体通路開口部を有する第１封入本体と、
前記第２液体を含み、第２本体通路開口部を有する第２封入本体であって、前記第２本
体通路開口部が前記第１本体通路開口部と隣接する第２封入本体と、
共有キャップであって、該共有キャップを前記第１および第２本体にそれぞれ連結するよ
うに構成された第１および第２弓形フランジを含み、吐出孔を有する共有キャップと、
前記第１および第２本体の前記通路開口部と前記共有キャップとの間に位置するインサ
ートであって、第１吐出開口部および該第１吐出開口部の周りの第１管状部材と、第２吐
出開口部および該第２吐出開口部の周りの第２管状部材と、少なくとも一部が前記第１管
状部材の周りの前記共有キャップの前記第１フランジの反対側に位置し、前記インサート
を前記第１封入本体に連結するように構成された第１弓形フランジと、少なくとも一部が
前記第２管状部材の周りの前記共有キャップの前記第２フランジの反対側に位置し、前記
インサートを前記第２封入本体に連結するように構成された第２弓形フランジとを含み、
前記インサートの前記第１および第２管状部材と前記第１および第２吐出開口部とは第１
および第２吐出経路を画定し、これらは各々前記第１および第２本体通路開口部と流体連
通する上流入口と、前記吐出孔と流体連通する下流出口とを備えるインサートと、
バルブであって、前記第１および第２吐出経路から前記吐出孔への流れを遮断して前記バ
ルブの上流で第１および第２液体を分離する閉位置から、前記第１および第２吐出経路お
よび前記吐出孔を通して前記第１および第２液体を前記容器から吐出する開位置まで移動
可能なバルブとを備える容器。
【請求項４７】
請求項４６に記載の容器において、前記インサートは前記吐出開口部を囲む上方に突出
する弁座を含む容器。
【請求項４８】
請求項４７に記載の容器において、フレキシブルバルブ部材は前記弁座に収容される容
器。
【請求項４９】
請求項４６に記載の容器において、前記第１および第２管状部材は少なくとも一部が前
記第１および第２本体通路開口部内にそれぞれ位置する容器。
【請求項５０】
請求項４６に記載の容器において、前記第１および第２管状部材は前記第１および第２
本体通路開口部の内面とそれぞれ摩擦嵌合する容器。
【請求項５１】
請求項４６に記載の容器において、前記第１および第２管状部材のそれぞれの周りに位
置するシールリングをさらに備える容器。
【請求項５２】
請求項４６に記載の容器において、前記インサートの前記第１および第２弓形フランジ
の各々は前記共有キャップの前記第１および第２弓形フランジの各々よりも短い容器。
【請求項５３】
請求項４６に記載の容器において、前記第１および第２封入本体の各々は、頸状部と該
頸状部の周りを下方に延在する傾斜部とを含み、前記共有キャップの前記第１および第２
弓形フランジの各々は、前記第１および第２封入本体のそれぞれの前記傾斜部に連結する
ように構成された内側に延在する傾斜部を含む遠位部を有する容器。
【請求項５４】
請求項４６に記載の容器において、前記第１および第２封入本体は２つの分離された容
器である容器。
【発明の詳細な説明】
【技術分野】
【０００１】
吐出まで容器を分離する、具体的には、飲料の少なくとも一部を構成する異なる液体を
分離、吐出するための容器および方法を提供する。
【背景技術】
【０００２】
所望量の最終生成物の供給に必要なパッケージの大きさを低減するために、濃縮液を使
用することができる。しかしながら、特定の成分のため、濃縮液の中には所望の期間より
も貯蔵寿命の短いものがある。例えば、原液に添加するクエン酸やリンゴ酸などの酸は原
液の貯蔵寿命を短くすることがある。
【０００３】
吐出前に異なる成分を相互に分離するために種々の試みがなされてきた。このような試
みには、特許文献１に記載されているように、その内容物をより大きなチャンバに吐出す
るために穴のあけられた壁を有する、より小さなチャンバを有する装置の提供がある。そ
の他の試みは、特許文献２、特許文献３および特許文献４に記載されている。このような
装置の欠点は、小さなチャンバが混合成分の吐出を不所望に妨げることである。確かに小
さなチャンバはそれに穴を開けた後に取り除かれることがあり、これによって装置の機能
性と利便性が制限されてしまう。このような装置のもう１つの欠点は、これらの装置が最
初の使用時に２つの液体を全て混合することを意図したものであるということである。こ
れは混合液が初回の使用時に使用されるのではなく、時間をかけて使用される場合には不
利である。
【先行技術文献】
【特許文献】
【０００４】
【特許文献１】米国特許第7,017,735号
【特許文献２】米国特許出願公開第2008/0116221号明細書
【特許文献３】米国特許出願公開第2009/0236303号明細書
【特許文献４】米国特許出願公開第2008/0245683号明細書
【発明の概要】
【発明が解決しようとする課題】
【０００５】
さらに濃縮液に関する別の問題は、混合後の生成物が所望の色に着色されるように、こ
れらの濃縮液が高濃度な染料を含む場合があるということである。これらの染料は、それ
が触れると、衣服や肌などの表面に染みがついてしまう。このため、濃縮液を含む容器は
、原液の滴りや漏れが制御できないのであれば望ましくない。容器の一形態では、ユーザ
が絞ると開口から液体が流れ出る。このタイプの容器を濃縮液の貯蔵に使用する場合、少
なくとも２つの問題が生じ得る。１つは、上述の染みの問題により、第２の液体の入った
容器に濃縮液が絞り込まれると、濃縮液の流れが容器内の液体に衝突して望ましくない跳
ねを発生させる可能性がある。この跳ねたものが周囲の面やユーザの衣服や肌を汚す可能
性がある。
【０００６】
さらに、ケチャップやサラダドレッシングボトルのような、吐出される材料の量を視覚
的に確認することのできる、より固形成分を多く含んだ絞り出し容器とは異なり、原液を
別の液体に吐出する絞り出し容器は、所望の最終混合物を得るためにどの位の濃縮液が吐
出されたのかをユーザが確認するのに不利な場合がある。また別の問題は、容器に残って
いる濃縮液の液面が反復して使用する間に減少していく際に発生する可能性がある。この
場合、同じ絞り力を使って吐出される濃縮液の量は、容器内の原液の液面が変化すると著
しく不利に変化する場合がある。
【課題を解決するための手段】
【０００７】
容器の第１の実施形態は、吐出前に第１液体と第２液体とを分離するために提供される
。容器は第１液体を含む第１封入本体と第２液体を含む第２封入本体とを備える。第１封
入本体は第１本体通路開口部を有し、第２封入本体は第２本体通路開口部を有する。第１
および第２本体通路開口部は相互に隣接している。容器は第１および第２本体に固定され
た共有キャップも有する。共有キャップは第１吐出チャネルと第２吐出チャネルとを有し
、これらは各々開放端部と吐出孔を持つ端部とを有する。容器はまた、第１本体および第
２本体の通路開口部と共有キャップとの間に位置するインサートを有する。インサートは
第１本体通路開口部と流体連通する上流入口と、第１吐出チャネルと流体連通する下流出
口とを有する第１吐出経路を画定する。またインサートは、第２本体通路開口部と流体連
通する上流入口と第２吐出チャネルと流体連通する下流出口とを有する第２吐出経路も画
定する。上流入口はそれぞれの吐出チャネルからオフセットしている。
【０００８】
一態様において、共有キャップは開位置と閉位置とを有し、閉位置の場合に各々の吐出
孔を覆うように構成された蓋を含む。別の態様において、共有キャップは上壁と、この上
壁から延在する２つ吐出孔を含む隆起した噴出口とを含む。さらに別の態様において、噴
出口は第１および第２吐出チャネルを分離する壁を含む。またさらに別の態様において、
容器は、それぞれの下流出口から流れる第１および第２液体を相互に向かう方向に変え、
それぞれ第１および第２吐出チャネルへ流入するように構成された第１デフレクタおよび
第２デフレクタを含む。
【０００９】
さらに別の態様において、容器から第１液体と第２液体とを吐出するための方法を提供
する。この方法は、第１封入本体の内部容積を減少させて、第１液体の少なくとも一部を
第１封入本体から出して第１吐出チャネルの吐出孔から第１液体噴射で排出するステップ
を含む。 この方法は、第２封入本体の内部容積をほぼ同時に減少させて、第２液体の少
なくとも一部を第２封入本体から出して第２吐出チャネルの吐出孔から第２液体噴射で排
出するステップをさらに含む。
【００１０】
容器の第２の実施形態は、吐出前に第１液体と第２液体とを分離するために提供される
。容器は第１液体を含む第１封入本体と第２液体を含む第２封入本体とを備える。第１封
入本体は第１本体通路開口部を有し、第２封入本体は第２本体通路開口部を有する。第１
および第２本体通路開口部は相互に隣接している。容器は第１および第２本体のうちの少
なくとも１つに固定された共有キャップをさらに有する。共有キャップは第１吐出開口部
と第２吐出開口部とを有する。容器は第１および第２本体の通路開口部と共有キャップと
の間に位置するインサートとをさらに有する。インサートは第１本体通路開口部と流体連
通する上流入口と第１吐出開口部と流体連通する下流出口とを有する第１吐出経路を画定
する。またインサートは第２本体通路開口部と流体連通する上流入口と第２吐出開口部と
流体連通する下流出口とを有する第２吐出経路も画定する。吐出経路の各々は、それぞれ
の封入本体内の圧力に応じて、バルブを流れる流量を制御する閉構成とバルブを流れるよ
うにする開構成との間で移動可能なバルブを有する。
【００１１】
一態様において、容器は、共有キャップの上壁に、第１および第２開口部を通って延在
する第１および第２の隆起した噴出口をさらに含む。第１噴出口は第１吐出孔を有し、第
２噴出口は第２吐出孔を有する。別の態様において、第１および第２噴出口はダックビル
バルブである。さらに別の態様において、第１封入本体および第２封入本体は一体化され
たブロー成形構造または射出成形構造である。
【００１２】
さらに別の態様において、第１液体および第２液体を容器から吐出するための方法を提
供する。この方法は、第１封入本体の内部容積を減少させて、第１液体の少なくとも一部
を第１封入本体から出して第１吐出開口部の吐出孔から第１液体噴射で排出するステップ
を含む。 この方法は、第２封入本体の内部容積をほぼ同時に減少させて、第２液体の少
なくとも一部を第２封入本体から出して第２吐出開口部の吐出孔から第２液体噴射で排出
するステップをさらに含む。
【００１３】
容器の第３の実施形態は、吐出前に第１液体と第２液体とを分離するために提供される
。容器は第１液体を含む第１封入本体と第２液体を含む第２封入本体とを備える。第１封
入本体は第１本体通路開口部を有し、第２封入本体は第２本体通路開口部を有する。第１
および第２本体通路開口部は相互に隣接している。容器は第１および第２本体のうちの少
なくとも１つに固定された共有キャップをさらに含む。共有キャップは吐出孔を有する。
容器は第１および第２本体の通路開口部と共有キャップとの間に位置するインサートをさ
らに含む。インサートは第１および第２本体通路開口部と流体連通する上流入口と吐出孔
と流体連通する下流出口とを有する吐出経路を画定する。容器は、吐出経路からと吐出孔
からとの流れのどちらも遮断し、バルブの上流で第１流体と第２液体とを分離する閉位置
から、吐出経路と吐出孔との両方を通って容器から第１および第２液体を吐出する開位置
まで移動可能なバルブをさらに含む。
【００１４】
一態様において、容器は、バルブが開位置にある場合、バルブの上流でインサートの下
流出口の下流に配置される混合チャンバを有する。別の態様において、容器は第１および
第２本体の通路開口部とインサートとの間に位置するガスケットをさらに有する。さらに
別の態様では、インサートはバルブを着座させるように構成された弁座を含む。また別の
態様では、バルブは閉位置から開位置まで移動可動な可撓性ダイヤフラムである。 また
別の態様では、可撓性ダイヤフラムは可撓性ダイヤフラムにおいて１つまたは複数のフラ
ップを形成する１つまたは複数のスリットを含む。
【００１５】
また別の態様では、容器から第１液体および第２液体を吐出するための方法を提供する
。この方法は、第１封入本体の内部容積を減少させて、第１液体の少なくとも一部を第１
封入本体から出して吐出孔から排出するステップを含む。 この方法は、第２封入本体の
内部容積をほぼ同時に減少させて、第２液体の少なくとも一部を第２封入本体から出して
吐出孔から排出するステップをさらに含む。
【００１６】
一形態において、吐出前に第１液体と第２液体とを分離する容器は、第１液体を含み、
第１本体通路開口部を有する第１封入本体と、第２液体を含み、第２本体通路開口部を有
する第２封入本体とを備え、第２本体通路開口部は第１本体通路開口部と隣接している。
容器は共有キャップを第１および第２本体にそれぞれ連結するように構成された第１およ
び第２弓形フランジを含む共有キャップをさらに含み、共有キャップは吐出孔を有する。
容器はまた、第１および第２本体の通路開口部と共有キャップとの間に位置するインサ
ートを含む。インサートは、第１吐出開口部と第１吐出開口部の周りの第１管状部材、第
２吐出開口部と第２吐出開口部の周りの第２管状部材、少なくとも一部が第１管状部材の
周りに位置し、インサートを第１封入本体に連結するように構成された第１の対の弓形フ
ランジ、および少なくとも一部が第２管状部材の周りに位置し、インサートを第２封入本
体に連結するように構成された第２の対の弓形フランジを含む。インサートの第１および
第２管状部材と第１および第２吐出開口部とは、第１および第２吐出経路を画定し、これ
らは各々、第１および第２本体通路開口部と流体連通する上流入口と、吐出孔と流体連通
する下流出口とを有する。容器は、第１および第２吐出経路から吐出孔を通る流れを遮断
してバルブの上流で第１および第２液体を分離する閉位置から、第１および第２吐出経路
と吐出孔とを通して流し、第１および第２液体を容器から吐出する開位置まで移動可動な
バルブをさらに含む。
【００１７】
インサートの第１および第２の対のフランジの各々は、共有キャップの第１および第２
の弓形フランジの各々よりも短くすることができる。
【００１８】
一形態において、吐出前に第１液体および第２液体を分離する容器は、 第１液体を含
み、第１本体通路開口部を有する第１封入本体と、第２液体を含み、第２本体通路開口部
を有する第２封入本体とを備え、第２本体通路開口部は第１本体通路開口部と隣接してい
る。容器は、共有キャップを第１および第２本体にそれぞれ連結するように構成された第
１および第２弓形フランジを含む共有キャップをさらに含み、この共有キャップは吐出孔
を有する。容器は、第１および第２本体の通路開口部と共有キャップとの間に位置するイ
ンサートも含む。インサートは、第１吐出開口部および第１吐出開口部の周りの第１管状
部材と、第２吐出開口部および第２吐出開口部の周りの第２管状部材と、少なくとも一部
が第１管状部材の周りの共有キャップの第１フランジの反対側に位置し、インサートが第
１封入本体に連結されるように構成された第１弓形フランジと、少なくとも一部が第２管
状部材の周りの共有キャップの第２フランジの反対側に位置し、インサートが第２封入本
体に連結されるように構成された第２弓形フランジとを含む。インサートの第１および第
２管状部材ならびに第１および第２吐出開口部は、第１および第２吐出経路を画定し、こ
れらはそれぞれ第１および第２本体通路開口部と流体連通する上流入口と、吐出孔と流体
連通する下流出口とを有する。容器はまた、第１および第２吐出経路から吐出孔を通る流
れを遮断してバルブの上流で第１および第２液体を分離する閉位置から、第１および第２
吐出経路と吐出孔とを通して流し、第１および第２液体を容器から吐出する開位置まで移
動可動なバルブを含む。
【００１９】
インサートの第１および第２弓形フランジの各々は、共有キャップの第１および第２弓
形フランジの各々よりも短くすることができる。
【００２０】
インサートは吐出開口部を囲んで上方に突出する弁座を備えることができる。可撓バル
ブ部材は弁座に収容することができる。
【００２１】
第１および第２管状部材は、少なくとも一部を第１および第２本体通路開口部にそれぞ
れ位置させることができる。
【００２２】
第１および第２管状部材は、第１および第２本体通路開口部の内面とそれぞれ摩擦嵌合
させることができる。
【００２３】
容器は第１および第２管状部材の各々の周りに位置するシールリングをさらに含むこと
ができる。
【００２４】
第１および第２封入本体の各々は、頸状部とこの頸状部の周りを下方に延在する傾斜部
とを含むことができる。共有キャップの第１および第２弓形フランジの各々は、第１およ
び第２封入本体のそれぞれの傾斜部に連結するように構成された内側に延在する傾斜部を
持つ遠位部を含むことができる。
【００２５】
第１および第２封入本体は２つの別個の容器であってもよい。
【図面の簡単な説明】
【００２６】
【図１】キャップの蓋が閉じた状態の容器体示す、第１の実施形態による飲料濃縮液を吐出する２つの区画室を有する例示的容器の正面図である；
【図２】キャップの蓋が開いた状態の図１の容器の側面図である；
【図３】キャップの蓋が閉じた状態の図１の容器の上面図である；
【図４】キャップの蓋が開いた状態の図１の容器の斜視図である；
【図５】図１の容器で使用可能な例示的インサートおよび例示的バルブ部材の分解斜視図である；
【図６】図１の容器体の斜視図である；
【図７】容器体とキャップとの間に位置する図５の例示的インサートおよびバルブ部材を有する図１の容器の、図２の切断線ＶＩＩ−ＶＩＩに沿った断面図である；
【図８】切断線ＶＩＩＩ−ＶＩＩＩに沿った図１の容器を示す図である；
【図９】キャップの蓋が開いた状態の容器体を示す、第２の実施形態における飲料濃縮液を吐出する２つの区画室を有する例示的容器の斜視図である；
【図１０】図９の容器の切断線Ｘ−Ｘに沿った断面図である；
【図１１】図９の容器で使用できる例示的インサートの斜視図である；
【図１２】図１、図９および図１３の容器で使用することのできる例示的ガスケットの斜視図である；
【図１３】キャップの蓋が開いた状態の容器体を示す、第３の実施形態における飲料濃縮液を吐出する２つの区画室を有する例示的容器の斜視図である；
【図１４】図１３の容器の切断線ＸＩＶ−ＸＩＶに沿った断面図である；
【図１５】図１３の容器で使用できる例示的インサートの斜視図である；
【図１６】キャップのない容器体を示す、第４の実施形態における飲料濃縮液を吐出する例示的な１つの区画室の斜視図である；
【図１７】図１６の単一の区画室を組み合わせた２つの区画室を有する例示的容器体の上面図である；
【図１８】図１７に示す容器体で使用できるインサートを含む例示的キャップの底の斜視図である；
【図１９】図１８の切断線ＸＩＸに沿った図１８のキャップとインサートを、同じ断面から見た図１７の例示的容器体と共に示す図である；
【図２０】図１７に示す容器体で使用できるインサートを含む別の例示的キャップの底の斜視図である；
【図２１】図２０の切断線ＸＸＩに沿った図２０のキャップとインサートを、同じ断面から見た図１７の例示的容器体と共に示す図である。
【発明を実施するための形態】
【００２７】
吐出前に第１流体と第２流体とを分離し、吐出中に混合するように構成された容器なら
びに組み付けおよび吐出の方法を提供する。容器は複数回の吐出に適しており、流体は飲
料の成分または飲料濃縮液とすることができる。有利には、第１および第２流体は吐出前
に分離されている。また有利には、第１および第２流体の吐出部分のみが、好適にまたは
実質的に、吐出中に混合される。つまり、一定の周期中、全ての第１および第２流体が混
合されるわけではない。第１および第２流体の吐出される部分を吐出するまで分離してお
くことにより、１つの流体が他の流体と相互作用することを制限または防止することがで
きる。流体の相互作用によって貯蔵寿命が短くなる可能性のある場合など、このような相
互作用を回避することにより、容器の貯蔵寿命を延ばすことができる。このような分離は
、吐出するための複雑なステップを必要としない容器を提供しつつ達成することができる
。
【００２８】
図１〜図８の第１の例示的実施形態を参照すると、容器１０は最上部に取り付けられた
キャップ２０を有する本体１２を含む。図５、図７および図８に示す様に、キャップ２０
の底面の下にはインサート３０が位置している。容器１０の本体１２は第１流体を貯蔵す
る第１封入本体と第２流体を貯蔵する第２封入本体とを含む。最初、第１および第２流体
、そして例示的な場合、第１および第２飲料濃縮液成分は、容器１２内で分離されて別々
に維持されている。しかしながら、濃縮液成分の一部（または全て）の吐出が所望される
場合、圧力が容器１０の外部にかけられ、インサート３０のバルブ部材５０が閉位置から
開位置に移動することにより、第１および第２飲料成分が本体１２およびインサート３０
からそれぞれ一緒に出ることができる。
【００２９】
具体的には、第１および第２飲料成分の各々は、バルブ部材５０が閉位置にある場合、
バルブ部材５０の上流に関連する別々の出口流路を有する。バルブ部材５０がその開位置
に移動すると、第１および第２飲料成分の一部はそれらのそれぞれの出口流路から流れ、
バルブ部材５０の上流で混ざり、バルブ部材５０を通って噴出などによって吐出される。
飲料濃縮液は水またはその他の液体内に吐出され、飲料を形成することができる。例示的
飲料濃縮液は２０１０年４月１日に出願された米国特許出願第61/320,155号に開示されて
おり、この全体を参照として本明細書に援用する。第１および第２封入本体１１、１３内
の第１飲料成分と第２飲料成分との体積比はおよそ１：１と９：１との間、１：１と４：
１との間、または約２：１であると理解されよう。容器の適切な大きさ、その構成のさら
なる詳細、例示的飲料濃縮液およびその投与数は、２０１０年９月１０日に出願されたPC
T/US2010/48449に開示されており、その全体を本明細書に参照として援用する。
【００３０】
第１容器の実施形態１０を詳しくみると、図１〜８を参照するに、本体１２は底壁１８
、本体１２の最上部の対向肩部１４、および肩部１４と底壁１８との間に延在する側壁１
６で囲まれている。頸状部１５は底壁１８の反対側の肩部１４から上方に延在し、第１封
入本体１１への入口および第１封入本体１１からの出口を提供する第１本体通路開口部５
８ａと、第２封入本体１３への入口および第２封入本体１３からの出口を提供する第２本
体通路開口部５８ｂとを画定する。第１封入本体１１は第１液体を貯蔵し、第２封入本体
１３は第２液体を貯蔵することができる。
【００３１】
図示する形態において、頸状部１５は対向するくぼみ１７と共有壁１９とを含み、共有
壁は第１および第２液体が頸状部１５を流れる際に、それらを分離する。 図示する形態
において、壁１９は頸状部１５を通って頸状部１５の底から本体１２の底壁１８まで延在
し、第１および第２液体を本体１２の全高に沿って分離する。壁１９は頸状部１５の全高
にわたって延在する必要はなく、頸状部１５の高さの一部のみに延在してもよいと理解さ
れたい。また、キャップ２０の取り付け中や容器１０の貯蔵中に外力に曝された場合、容
器本体１２がその構造的統合性を維持できるくらいに側壁１６の剛性が低減されてもよい
ように、壁１９は容器本体１２内に付加的な支持構造体を有することができると理解され
たい。図示する形態において、頸状部１５および壁１９は、本明細書によって詳しく説明
するように、キャップ２０の取り付けおよびインサート３０の一部または全体を支持する
構造体を提供する。
【００３２】
キャップ２０は容器１０の本体１２における頸状部１５に取り付けられる。図４に示す
様に、キャップ２０はその周囲にスカート２４の下がった上壁２３を含む。 隆起した噴
出口４６は上壁２３に延在する開口部４８を画定する。図示する形態において、噴出口４
６は円筒形であるが、噴出口４６には別の適切な形状を使用してもよいと理解されたい。
開位置と閉位置との間を移動可能なキャップ２０の蓋２６は、蓋が閉位置にあるときに噴
出口４６を覆うように構成される。図示する形態において、蓋２６はヒンジ２１によって
キャップ２０の残部に枢動可能に連結され、開位置から閉位置までヒンジ２１の周りを枢
動することができる。一形態において、蓋２６はキャップ２０の残部とスナップフィット
するように構成することができる。この形態において、凹部２２をキャップ２０の上壁２
３の周囲に沿って設けることができる。凹部２２は蓋２６の底面２９を収容してスナップ
フィットを形成するように構成される。本形態において、凹部２５は、蓋２６が閉位置に
枢動される際、蓋２６に隣接するスカート２４にも設けることができる。そして凹部２５
は蓋２６の突出レッジ２７へのアクセスを容易にして、ユーザがレッジ２７を操作して蓋
２６を開けることができるようにする。 図示する形態において、蓋２６は略ドーム形で
あるが、他の適切な形状とすることもできる。
【００３３】
図４および図５を参照すると、噴出口４６の開口部４８内にバルブ部材５０が収容され
ている。図示する形態において、バルブ部材５０はダイアフラムとして作用し、可撓性膜
、すなわち複数のスリット、好適には図４に示す様な４つの略三角形フラップを形成する
２つの交差するスリットを持つプレート部５２を有する。このように構成することにより
、側壁１６の対向部を相互の方に向けて押圧することによって容器１０が絞られると、第
１および第２封入本体１１、１３にそれぞれ貯蔵された第１飲料成分および第２飲料成分
は膜５２に押し付けられ、これによってフラップが外側に動いて成分同士がバルブ部材５
０の膜５２の上流で混合されて飲料濃縮液が形成され、膜５２の吐出孔５３から噴出され
る。 一態様において、例示的容器１０から放出される飲料濃縮液の噴射は、好適には速
度と質量流量とを組み合わせてターゲット容器（図示せず）内のターゲット液体（図示せ
ず）に衝突し、ターゲット液体に乱流を生じさせ、器具の取り付けや用具または振動を使
用することなく、略均質に混合された最終生成物（図示せず）を生成する。
【００３４】
蓋２６は、蓋２６の内面から突出するストッパ５４をさらに含む。 好適には、ストッ
パ５４は、図７および図８に示す様に、噴出口４６内にぴったり合うような大きさに形成
され、第１および第２封入本体１１、１３に貯蔵された液体飲料濃縮液の不意の吐出やそ
の他の漏れに対して付加的な保護を提供する。図示する形態において、ストッパ５４は中
空の円筒形の突起とすることができる。ストッパ５４内に任意選択で中栓５６を配置させ
、そこからさらに突出させて、噴出口４６の開口部４８に配置されたバルブ部材５０の膜
５２と接触させてもよい。具体的には、中栓５６はバルブ部材５０の膜５２におけるフラ
ップの凹向きからの動きを制限することができ、そうすることによってフラップは凸向き
に閉じ、フラップは少なくとも一部が吐出のために開く。
【００３５】
ストッパ５４は噴出口４６と協働し、閉じている間、１つ、２つまたはそれ以上の聴覚
的および／または触覚的な応答をユーザに提供するように構成することができる。例えば
、ストッパ５４の後端部の、噴出口４６の後端部を通ってヒンジ２１に近づく摺動運動は
、蓋２６が閉位置の方に移動するときの、聴覚的および触覚的な応答となる。蓋２６のそ
の閉位置に向かうさらなる動きは、ストッパ５４の前端部が噴出口４６の前端部を通って
摺動して、ヒンジ２１から離れた、それぞれの後端部と反対側で接するときの、第２の聴
覚的および触覚的な応答となる。好適には、第２の聴覚的および触覚的な応答は、蓋２６
が全部閉じる直前に生じる。これによって蓋２６が閉じているという、聴覚的および／ま
たは触覚的なフィードバックをユーザに与えることができる。
【００３６】
キャップ２０は、図７および図８に示す様に、頸状部１５の外面に係合するように構成
された上壁２３の下側から下がる、外側の、略円筒形のフランジ２８を有する。頸状部１
５の外面は、好適には、その開放上端と隣接する、図６〜図８に示す様な下方に傾斜する
円周傾斜部６２を含む。キャップ２０の外フランジ２８の遠位部は、図７および図８に示
す様に、円周に内側に延在するキャップ傾斜部６４を含む。キャップ２０の傾斜部６４お
よび頸状部１５の傾斜部６２は、キャップ２０を頸状部１５から取り外そうとする場合と
比較して、キャップ２０が頸状部１５の周りを下向きに押された場合、これらの傾斜部が
より簡単に互いの前方を横切るように摺動できるように構成される。このように、キャッ
プ２０を頸状部１５、従って容器１０の本体１２に取り付けて保持することができる。保
持する（retain）という用語の使用は、所定の位置から動かすことが不可能であることを
意味しているのではなく、動かすために克服しなくてはならない力があるということであ
る。キャップ２０を頸状部１５に取り付けるために、キャップ傾斜部６４は頸状部１５の
傾斜部６２に沿って摺動し、頸状部１５および／またはキャップ２０の外フランジ２８は
、それぞれの傾斜部６４および６２に隣接して形成されたレッジが、キャップ２０が外側
に外れるのを制限するためにインターロックするまで、互いに離れて屈曲している。
【００３７】
図５、図７および図８を参照すると、第１の実施形態の例示的インサート３０は、２つ
の対向するくぼみ３６を有する中空の円筒本体部３２を備える。本体部３２は、図５に示
す様に、上壁３３、上壁３３から下方に下がる外フランジ３４および、出口オリフィス３
８を囲む上方に突出する環状リムすなわち弁座３７を有する。図示する形態において、イ
ンサート３０はまた、上壁３３の下側から下がる内側の略円筒形のフランジ６０も含む。
内フランジ６０は外フランジ３４の内側に配置され、外フランジ３４よりもインサート３
０の上壁３３から短い距離を下方に延在する。内フランジ６０と外フランジ３４との間の
隙間は、容器１０の本体１２のまっすぐな略円筒形の頸状部１５が図８に示す様にその間
に収容されるように選択される。これによって容器１２とインサート３０との間の嵌合が
より確実に行われる。
【００３８】
インサート３０は、容器１０の本体１２における頸状部１５に部分的に挿入されるよう
に構成される。具体的に、組み付けると、図７および図８に示す様に、インサート３０の
内フランジ６０は少なくとも一部が容器１０の頸状部１５内に配置される。インサート３
０の配置後、キャップ２０を容器１０の本体１２の頸状部１５に取り付けることができる
。
【００３９】
図８に示す様に、インサート３０が容器１０の本体１２に挿入され、キャップ２０がそ
の頸状部１５に取り付けられ、容器１０が非吐出構造である場合、バルブ部材５０はイン
サート３０の突出リムと係合するように配置される。この係合にはいくつか目的がある。
第１の目的は、第１封入本体１１に貯蔵された第１飲料成分が容器１０の本体１２から出
ないようにすることである。第２の目的は、第２封入本体１３に貯蔵された第２飲料成分
も容器１０の本体１２から出ないようにすることである。第３の目的は、第１および第２
封入本体１１、１３に貯蔵された第１および第２飲料成分を分離したままにすることであ
る。
【００４０】
インサート３０の突出リム３７とバルブ部材５０との間の係合に関する第１および第２
の目的に関して、バルブ部材５０は、第１および第２封入本体１１、１３に貯蔵された第
１および第２飲料成分の容器１０の本体１２からの出口、すなわち吐出経路を遮断するよ
うに配置される。図示する形態において、図８に示す様に、第１および第２飲料成分の吐
出、すなわち出口経路は、第１および第２本体通路開口部５８ａ、５８ｂから突出リム３
７の出口オリフィス３８を通り、噴出口４６の底、バルブ部材５０の一部および突出リム
３７によって囲まれる領域に延在する。バルブ部材５０は、図４に示す、第１および第２
飲料成分の吐出経路を遮断する閉位置と、出口経路を通って第１および第２飲料成分が流
れるようにする開位置（図示せず）との間で移動可能である。図４に示す様にバルブ部材
５０が閉位置にある場合、バルブ部材５０の膜５２のスリットは閉じ、第１および第２飲
料成分の吐出経路を遮断している。しかしながら容器１０の本体１２が絞られるなどして
バルブ部材５０が開位置に移動すると、バルブ部材５０は開位置に移動し、膜５２のスリ
ットが開いて第１および第２飲料成分はスリットの間に形成された吐出孔５３を流れる。
【００４１】
図示する形態において、バルブ部材５０が開位置（図示せず）にある場合、バルブ部材
５０の膜５２はインサート３０の突出リム３７から離れ、その間に空間またはチャンバ（
図示せず）が形成され、第１および第２飲料成分がそこを流れ、バルブ部材５０の膜５２
のスリットが開かれ、スリット間の吐出孔５３を通って流出される。
【００４２】
第３の目的に関して、図７および図８に示す様に、第１および第２飲料成分の間の分離
は、バルブ部材５０が閉位置にあるときに達成される。容器１０の本体１２が絞られた際
などにバルブ部材５０が開位置（図示せず）に移動すると、第１および第２飲料成分は、
バルブ部材５０の膜５２の開いたスリットの間の吐出孔５３を通って出る前に、第１およ
び第２本体通路開口部５８ａ、５８ｂの下流のバルブ部材５０の上流で混合される。
【００４３】
図９〜図１１を参照すると、第２の実施形態における例示的インサート１３０は、２つ
の対向するくぼみ１３６を有する中空の円筒本体部１３２を備える。本体部１３２は上壁
１３３、上壁すなわち表面１３３から下方に下がる外フランジ１３４、および上壁１３３
の下側から下がる内側の略円筒形のフランジ１６０を有する。内フランジ１６０は外フラ
ンジ１３４から内側に配置され、外フランジ１３４よりもインサート１３０の上壁１３３
から短い距離を下方に延在する。内フランジ１６０および外フランジ１３４の間の間隔は
、図１０に示す様に、容器１００の本体１１２における直立する略円筒形の頸状部１１５
がその間に収容されるように選択される。これによって容器１１２とインサート１３０と
の間の嵌合がより確実になる。
【００４４】
図１１によれば、インサート１３０の上壁１３３は第１および第２出口オリフィス、す
なわち開口部１３８ａ、１３８ｂを含む。デフレクタ１３７ａ、１３７ｂは上壁１３３か
ら上方に延在する。 デフレクタ１３７ａ、１３７ｂは少なくとも一部がそれぞれ開口部
１３８ａ、１３８ｂ上に位置し、第１および第２流体の流路がインサート１３０と第１お
よび第２開口部１３８ａ、１３８ｂとを通って吐出される際、第１および第２流体の流路
を偏向するように形成される。例示的形態において、デフレクタ１３７ａ、１３７ｂは、
図１０および図１１に示す様に、少なくとも一部が湾曲し、互いに収束する向きに方向付
けられている。収束する向きは、開口部１３８ａおよび１３８ｂを通って流れる第１およ
び第２流体をそれぞれ、互いの方向に向け直す。
【００４５】
インサート１３０は、一部が容器１００の本体１１２の頸状部１１５に挿入されるよう
に構成される。具体的に、図１０に示す様に組み付けられると、インサート１３０の内フ
ランジ１６０は少なくとも一部が容器１００の頸状部１１５に配置される。インサート１
３０の配置後、キャップ１２０を容器１００の本体１１２における頸状部１１５に取り付
けることができる。
【００４６】
キャップ１２０は図９および図１０に示す様に上壁１２３を含み、その周囲にはスカー
ト１２４が下がっている。隆起した噴出口１４６は、図９および図１０に示す様に、キャ
ップ１２０の上壁１２３から延在する吐出孔１４８ａ、１４８ｂを画定する。図示する形
態において、噴出口１４６は円筒形だが、噴出口１４６の形状は他の適切なものであって
もよいことを理解されたい。噴出口１４６内の少なくとも一部には共有壁１１９ａが収容
され、これは、第１および第２液体が噴出口１４６の第１および第２吐出チャネルを流れ
る際に、第１および第２液体を分離したままにする。図示する形態において、壁１１９ａ
は噴出口１４６を通って延在する。図１０を参照すると、１つまたは複数のリブ１７０が
上壁１２３の下側から下方に突出している。インサート１３０の上壁１３３は、１つまた
は複数のリブ１７０および共有壁１１９ａの一部を収容する大きさおよび形状の、１つま
たは複数の溝１８０を含み、これによってキャップ１２０とインサート１３０との間のよ
り確実な嵌合および密封が提供される。
【００４７】
図示する形態において、図１０に示す様に、容器１１２の最大断面寸法は頸状部１１５
の最大断面寸法よりも大きく、これは噴出口１４６の最大断面寸法よりも大きい。従って
、壁１１９の本体における最大断面寸法は、頸状部１１５におけるものよりも大きい。同
様に、頸状部１１５における壁１１９の最大断面寸法は噴出口１４６における壁１１９の
最大断面寸法よりも大きい。さらに、図１０に示す様に、本体通路開口部１５８ａ、１５
８ｂの最大断面寸法はそれぞれ吐出孔１４８ａ、１４８ｂの最大断面寸法よりも大きい。
さらに、図１０に示す形態において、本体通路開口部１５８ａ、１５８ｂは吐出孔１４８
ａ、１４８ｂからそれぞれオフセットしている。さらに図１０は、本体通路開口部１５８
ａ、１５８ｂがそれぞれ出口オリフィス１３８ａ、１３８ｂの最大断面積よりも大きな最
大断面積を有し、出口オリフィス１３８ａ、１３８ｂの中心軸は本体通路開口部１５８ａ
、１５８ｂの中心軸よりも近接していることを示している。少なくともこれらの理由によ
り、デフレクタ１３７ａ、１３７ｂは、第１および第２液体を内側に、すなわち図１０に
示す様に壁１１９ａの方に向け直すように配向される。
【００４８】
側壁１１６の対向部分を互いに向かって押すことによって容器１００が絞られると、第
１および第２封入本体１１１、１１３に貯蔵された第１および第２飲料成分は、第１およ
び第２本体通路開口部１５８ａ、１５８ｂからそれぞれ押し出される。第１および第２本
体通路開口部１５８ａ、１５８ｂから出されると、第１および第２液体はそれぞれ第１お
よび第２吐出経路に沿って流れる。具体的には、第１および第２液体は入口に入り、イン
サート１３０の出口オリフィス１３８ａ、１３８ｂの出口から流出する。出口オリフィス
１３８ａ、１３８ｂから出ると、第１および第２液体は合流し、インサートのデフレクタ
１３７ａ、１３７ｂによって向きが変えられる。図示する形態において、上述の様に、そ
して図１０および図１１に示す様に、デフレクタ１３７ａ、１３７ｂの好適な形状および
配向は、第１および第２流体が相互に向き合うように、そして壁１１９ａに向かうように
向きが変えられるものである。そして第１および第２流体は噴出口１４６に入り、噴出口
１４６の第１および第２吐出チャネルを流れる間に壁１１９ａによって分離され、吐出孔
１４８ａ、１４８ｂからそれぞれ噴出される。噴出は、互いに平行に、収束して、または
発散して行われると理解されたい。
【００４９】
図示する形態において、蓋１２６は、図１０に示す様に、蓋１２６の内面から突出する
ストッパ１５４をさらに含むことができる。好適には、ストッパ１５４は、噴出口１４６
に接触し、吐出開口部１４８ａ、１４８ｂを含む噴出口１４６の上面１４７を覆う大きさ
とし、第１および第２封入本体１１１、１１３に貯蔵された液体飲料濃縮液の不意の吐出
または漏れに対して付加的な保護を提供する。図示する形態において、ストッパ１５４は
中空で円筒形の突起とすることができる。任意的な中栓１５６はストッパ１５４内に配置
され、そこからさらに突出させることができ、噴出口１４６の上面１４７に接触して吐出
孔１４８ａ、１４８ｂのみを覆い、そこからの漏れを防ぐようにすることができる。
【００５０】
図１３〜１５を参照すると、第３の実施形態の例示的インサート２３０は２つの対向す
るくぼみ２３６を有する中空の円筒本体部２３２を備える。本体部２３２は上面すなわち
上壁２３３、上壁２３３から下方に下がる外フランジ２３４および上壁２３３の下側から
下がる、内側の略円筒形のフランジ２６０を有する。内フランジ２６０は外フランジ２３
４の内側に配置され、外フランジ２３４よりもインサート２３０の上壁２３３から短い距
離を下方に延在する。内フランジ２６０と外フランジ２３４との間の間隔は、図１４に示
す様に、容器２００の本体２１２における直立する略円筒形の頸状部２１５がその間に収
容されるように選択する。これによって容器２１２とインサート２３０との嵌合がより確
実になる。
【００５１】
図１４および図１５を参照すると、インサート２３０の上壁２３３は、少なくとも第１
および第２出口オリフィス２３８ａ、２３８ｂを有する。バルブ２３７ａ、２３７ｂは上
壁２３３から上方に延在し、出口オリフィス２３８ａ、２３８ｂを覆う。図示する形態に
おいて、バルブ２３７ａ、２３７ｂはダックビルバルブであってもよい。典型的に、ダッ
クビルバルブ２３７ａ、２３７ｂはゴムまたは合成材料で構成される。図示する実施形態
において、バルブ２３７ａ、２３７ｂは相互に略平行、およびインサート２３０の上壁２
３３に略垂直に配向され、第１および第２流体がバルブ２３７ａ、２３７ｂを相互に略平
行に流れるようにする。図１３に示す様にバルブ２３７ａ、２３７ｂが閉位置にあると、
吐出孔２３９ａ、２３９ｂは閉じ、第１および第２飲料成分の吐出経路を遮断する。しか
しながら容器２００の本体２１２が絞られた場合のようにバルブ２３７ａ、２３７ｂが開
位置にあると、バルブ２３７ａ、２３７ｂは開き、第１および第２飲料成分がバルブ２３
７ａ、２３７ｂの吐出孔２３９ａ、２３９ｂを通って流れることができる。
【００５２】
インサート２３０は、容器２００の本体２１２の頸状部２１５に一部が挿入されるよう
に構成される。具体的には、図１４に示す様に組み付けられると、インサート２３０の内
フランジ２６０は容器２００の頸状部２１５内に少なくとも一部が配置される。インサー
ト２３０の挿入後、キャップ２２０を容器２００の本体２１２の頸状部２１５に取り付け
ることができる。
【００５３】
図示する形態において、キャップ２２０は、図１３および図１４に示す様にその周囲に
スカート２２４の下がった上壁２２３を含む。図示する形態において、図１３および図１
４に示す様に、インサート２３０のバルブ１３７ａ、１３７ｂは上壁２２３、第１および
第２吐出チャネルまたは上壁２２３の開口部を通って延在する。図１４に示す様に、本体
通路開口部２５８ａ、２５８ｂは、バルブ２３７ａ、２３７ｂおよび出口オリフィス２３
８ａ、２３８ｂの最大断面寸法よりもそれぞれ大きい最大断面寸法を有する。
【００５４】
側壁２１６の対向部分を互いの方に向かって押すなどして容器２００が絞られると、第
１および第２封入本体２１１、２１３に貯蔵された第１および第２飲料成分は第１および
第２本体通路開口部２５８ａ、２５８ｂからそれぞれ押し出される。第１および第２本体
通路開口部２５８ａ、２５８ｂから出ると、第１および第２液体はそれぞれ第１および第
２吐出経路に沿って流れる。具体的には、第１および第２液体はインサート２３０の出口
オリフィス２３８ａおよび２３８ｂの入口に入り、出口から出る。出口オリフィス２３８
ａ、２３８ｂから出ると、第１および第２流体はバルブ２３７ａ、２３７ｂに入り、バル
ブ２３７ａ、２３７ｂを通って吐出孔２３９ａ、２３９ｂからそれぞれ噴出する。
【００５５】
上述の各実施形態において、図７、図８、図１０および図１４に示す様に、容器１０、
１００、２００の頸状部１５、１１５、１３０とインサート３０、１３０、２３０との間
には、ガスケット４０が任意選択で設けられる。図１２を参照すると、ガスケット４０は
対向するくぼみ４７を有する略円筒形の本体と、ストリップすなわちブリッジ４５によっ
て分けられた第１開口部４３および第２開口部４４とを有する。ガスケット４０は、容器
１０、１００、２００の頸状部１５、１１５、２１５の形状と、インサート３０、１３０
、２３０の下側の形状とに合うように成形される。図示する形態において、ガスケット４
０は少なくとも一部が容器の頸状部に着座し、少なくとも一部がインサート３０、１３０
、２３０の外フランジ３４、１３４、２３４に囲まれている。ガスケット４０は第１およ
び第２本体通路開口部５８ａ、１５８ａ、２５８ａおよび５８ｂ、１５８ｂ、２５８ｂな
らびにインサート３０，１３０、２３０の外フランジ３４、１３４、２３４のシール性を
向上させる。
【００５６】
図１〜１５に示す形態において、第１封入本体１１、１１１、２１１および第２封入本
体１３、１１３、２１３は並んで位置し、相互に一致する鏡像である。また、図１〜１５
に示す形態において、各例示的容器１０、２００、３００は一体構造であり、これは、第
１および第２封入本体１１、１１１、２１１、１３、１１３および２１３をそれぞれ含む
。例示的容器１０、１００および２００の一体構造はブロー成形または射出形成によって
形成することができる。
【００５７】
図１６および図１７を参照すると、吐出前に第１および第２流体が分離されて吐出中に
混合されるように構成された、容器３００の代替的例示的形態が提供されている。容器３
００は２つの分かれた第１および第２封入本体３００ａ、３００ｂを取り付けることによ
って形成される。
【００５８】
図１６および図１７を参照すると、容器３００は第１封入本体３００ａおよび第２封入
本体３００ｂを備える。第１および第２封入本体３００ａ、３００ｂは、好適には同一の
ものであり、第１封入本体３００ａの構造の説明を第２封入本体３００ｂの構造に同様に
適用する。
【００５９】
図１６を参照すると、第１封入本体３００ａは、底壁３１８ａ、本体３００ａの上部の
対向肩部３１４ａおよび肩部３１４ａと底壁３１８ａとの間に延在する側壁３１６ａによ
って囲まれた内部を含む。頸状部３１５ａは底壁３１８ａと対向する肩部３１４ａから上
方に延在し、第１封入本体３００ａへの入口および第１封入本体３００ａからの出口を提
供する第１本体通路開口部３５８ａを画定する。図示する形態において、第１封入本体３
００ａの頸状部３１５ａの外面は、上述のように、そして図１９および図２１を参照して
以下にさらに説明するように、キャップを取り付けるための下方に傾斜した円周傾斜部３
６２ａを図１６に示す様に含む。
【００６０】
図１７を参照すると、第２封入本体３００ｂは、底壁（図示せず）、本体３００ｂの上
部の対向肩部３１４ｂおよび肩部３１４ｂと底壁との間に延在する側壁３１６ｂによって
囲まれた内部を含む。頸状部３１５ｂは底壁に対向する肩部３１４ｂから上方に延在し、
第２封入本体３００ｂへの入口および第２封入本体３００ｂからの出口を提供する第２本
体通路開口部３５８ｂを画定する。容器３００の第１および第２封入本体３００ａ、３０
０ｂは、ユーザが第１および第２液体の吐出を所望するまで、第１および第２液体を相互
に分離してそれぞれ貯蔵することができる。
【００６１】
第１封入本体３００ａの側壁３１６ａは１つまたは複数の突起部３２０ａおよび１つま
たは複数の凹部３２２ａを含み、第２封入本体３００ｂの側壁３１６ｂは、突起部３２０
ａおよび凹部３２２ａにそれぞれ相補的な１つまたは複数の凹部および突起部（図示せず
）を含む。図示する形態において、第１封入本体３００ａおよび第２封入本体３００ｂは
、第１封入本体３００ａの１つまたは複数の突起部３２０ａが第２封入本体３００ｂの１
つまたは複数の凹部と結合され、そうすることによって側壁３１６ａ、３１６ｂが接触し
て第１および第２封入本体３００ａ、３００ｂを確実に保持し、図１７に示す様な例示的
容器３００が形成されるように配置される。第１封入本体３００ａの突起部３２０ａおよ
び第２封入本体３００ｂの相補的な凹部は、それだけで本体３００ａ、３００ｂを接合す
ることができる。代替的にまたは付加的に、接着剤、溶接および／またはその他の結合構
造を利用することもできる。
【００６２】
例示的容器３００は、例示的容器１０、１００、２００と同様に、図１〜１５に示すイ
ンサート３０、１３０、２３０のいずれか、キャップ１４、１１４、２１４のいずれか、
およびガスケット４と使用することができる。例えば、ガスケット４０のみをインサート
２３０に挿入し、インサート２３０を頸状部３１５ａ、３１５ｂに嵌合し、蓋２２６のつ
いたキャップ２１４を第１および第２封入本体３００ａ、３００ｂの肩部３１４ａ、３１
４ｂに固定して頸状部３１５ａ、３１５ｂを覆うことができる。このように構成すること
により、側壁３１６ａ、３１６ｂの対向部を互いの方に向かって押すことにより、容器３
００を絞った場合、第１および第２封入本体３００ａ、３００ｂにそれぞれ貯蔵された第
１および第２飲料成分はインサート２３０のバルブ２３７ａ、２３７ｂを通って押されて
吐出孔２３８ａ、２３８ｂから噴出される。
【００６３】
図１８には別の例示的形態によるキャップ１２０が示されている。キャップ１２０は容
器３００ａ、３００ｂと使用するように構成され、図１９に示す様に、容器３００ａ、３
００ｂの頸状部３１５ａ、３１５ｂに取り付けることができる。上述のキャップ２０と同
様に、キャップ１２０はその周囲に下がるスカート１２４を有する上壁１２３を含む。隆
起した噴出口１４６は上壁１２３を通って延在する開口部１４８を画定する。キャップ１
２０は開位置と閉位置との間で移動可能な、蓋１２６が閉位置の時に噴出口１４６を覆う
ように構成された蓋１２６を含む。
【００６４】
図１９に示す様に、蓋１２６はヒンジ１２１によってキャップ１２０の残部に枢動可能
に接続され、ヒンジ１２１の周りを開位置から閉位置へと枢動することができる。一形態
において、蓋１２６はキャップ１２０の残部とスナップフィットするように構成すること
ができる。本形態において、凹部１２２はキャップ１２０の上壁１２３の周辺に沿って提
供することができる。凹部１２２は蓋１２６の底面１２９を収容してスナップフィットを
形成するように構成される。図示する形態において、蓋１２６は略ドーム形であるが、蓋
１２６は別の適切な形状とすることができる。
【００６５】
図１８に示す形態において、キャップ１２０は上壁１２３の底側から下がる２つの略弓
形のフランジ１２８ａ、１２８ｂを有する。下記により詳細を示す様に、フランジ１２８
ａ、１２８ｂは相互に対向して位置し、容器３００ａ、３００ｂの頸状部３１５ａ、３１
５ｂの外面にそれぞれ係合するように構成される。
【００６６】
具体的には、図１８および図１９に示す様に、キャップ１２０のフランジ１２８ａ、１
２８ｂの遠位部は、それぞれ内向きに延在する傾斜部１６４ａ、１６４ｂを含む。頸状部
３１５ａ、３１５ｂの外面はそれぞれ下方に傾斜した円周傾斜部３６２ａ、３６２ｂを含
む。キャップ１２０のフランジ１２８ａ、１２８ｂの傾斜部１６４ａ、１６４ｂと容器３
００ａ、３００ｂの頸状部３１５ａ、３１５ｂの傾斜部３６２ａ、３６２ｂとは、頸状部
３１５ａ、３１５ｂからキャップ１２０を外そうとした場合と比較して、キャップ１２０
を頸状部３１５ａ、３１５ｂの周りに下方に押した場合、それらが相互により簡単に摺動
することができるように構成される。このように、キャップ１２０は頸状部３１５ａ、３
１５ｂ、従って各容器３００ａ、３００ｂに取り付け、保持することができる。上述の様
に、「保持する（retain）」という用語は、所定の場所から動かすことができないことを
意味するのではなく、動かすためには克服しなければならない力がいくらかあるというこ
とである。
【００６７】
キャップ１２０を頸状部３１５ａ、３１５ｂに取り付けるには、フランジ１２８ａ、１
２８ｂの傾斜部１６４ａ、１６４ｂが頸状部３１５ａ、３１５ｂの傾斜部３６２ａ、３６
２ｂに沿って摺動し、頸状部３１５ａ、３１５ｂおよび／またはキャップ１２０のフラン
ジ１２８ａ、１２８ｂは、図１９に示す様に、それぞれの傾斜部１６４ａ、１６４ｂおよ
び３６２ａ、３６２ｂに隣接して形成されたレッジは、キャップ１２０が容器３００ａ、
３００ｂの頸状部３１５ａ、３１５ｂから外れるのを制限するために、インターロックす
るまで互いに離れて屈曲している。
【００６８】
キャップ１２０は、図１８および図１９に示す様に、キャップ１２０に連結された例示
的インサート１３０を含む。インサート１３０は略円形で、上壁１３３を含む。インサー
ト１３０は上壁１３３から下方に下がる対向する一対の略弓形フランジ１３４、１３６を
有する。フランジ１３４、１３６の内側に面する面は中空の円筒形の突起部１３５、１３
７を含み、これらはキャップ１２０の上壁１２３から下方に下がるピン１２５、１２７が
摩擦嵌合（friction fit）し、その中を通ってインサート１３０がキャップ１２０に取り
外し可能に連結されるように構成される。
【００６９】
インサート１３０は、図１９に示す様に、出口オリフィス１３８に外接した、上方に突
出する環状リムすなわち弁座１３７も含む。インサート１３０の出口オリフィス１３８内
にはフレキシブルバルブ部材１５０が収容され、これは上述のバルブ部材５０と同一のも
のである。 図１９に示す様に、弁座１３７は噴出口１４６の開口部１４８内に収容され
る。
【００７０】
インサート１３０は上壁１３３の下側から下がる２つの略管状部材１３８、１４０を含
む。管状部材１３８、１４０は、図１９に示す様に、容器３００ａ、３００ｂの頸状部３
１５ａ、３１５ｂの開口部３５８ａ、３５８ｂに摩擦嵌合して挿入可能に構成され、イン
サート１３０およびキャップ１２０を容器３００ａ、３００ｂに連結するように構成され
る。
【００７１】
シールリング１４２、１４４は、図１８および図１９に示す様に、管状部材１３８、１
４０の各々の基板に近接した管状部材１３８、１４０の周りに配置される。シールリング
１４２、１４４は、管状部材１３８、１４０と容器３００ａ、３００ｂの頸状部３１５ａ
、３１５ｂの内面との間に実質的に水密な接続をそれぞれ提供する。インサート１３０の
上壁１３３は、図１８に示す様に、管状部材１３８、１４０の円周内にそれぞれ位置する
通路１３９、１４１を形成する貫通穴を含む。ユーザが容器３００ａ、３００ｂの内容物
を吐出する間、インサート１３０の通路１３９、１４１は、以下により詳細を記載するよ
うに、１つまたは複数の液体を容器３００ａ、３００ｂの内部から流出させる。
【００７２】
インサート１３０は、図１８に示す様に、下方に延在する４つの略弓形フランジ１４６
ａ、１４６ｂ、１４８ａ、１４８ｂを含む。フランジ１４６ａ、１４６ｂ、１４８ａ、１
４８ｂは、フランジ１３４、１３６よりもインサート１３０の上壁１３３から長い距離を
下方に延在する。フランジ１４６ａ、１４６ｂは管状部材１３８の両側に位置し、フラン
ジ１４８ａ、１４８ｂは管状部材１４０の両側に位置する。フランジ１４６ａ、１４６ｂ
、１４８ａ、１４８ｂの数と位置はほんの一例として示したものであり、適切な任意の数
のフランジを、管状部材１３８、１４０に隣接させ、任意の適切な配置で設置することが
できると理解されたい。
【００７３】
インサート１３０のフランジ１４６ａ、１４６ｂ, １４８ａ、１４８ｂは、容器３００
ａ、３００ｂの頸状部３１５ａ、３１５ｂを少なくとも部分的に囲むような大きさと形状
である。具体的に、キャップ１２０と容器３００ａ、３００ｂとが図１９に示す様に組み
付けられると、管状部材１３８、１４０は頸状部３１５ａ、３１５ｂ内に少なくとも一部
が摩擦嵌合されるように配置され、フランジ１４６ａ、１４６ｂ, １４８ａ、１４８ｂは
頸状部３１５ａ、３１５ｂの外部の周囲に少なくとも一部が摩擦嵌合されるように配置さ
れる。このように、頸状部３１５ａ、３１５ｂは、少なくとも一部が管状部材１３８、１
４０とフランジ１４６ａ、１４６ｂ, １４８ａ、１４８ｂとの間に保持され、キャップ１
２０、インサート１３０および容器３００ａ、３００ｂの間が確実に嵌合され、消費者に
よる移動および使用の際、キャップ１２０が容器３００ａ、３００ｂから落ちないように
する。
【００７４】
第１および第２飲料成分の吐出、すなわち出口経路は、図１７〜図１９に示す様に、第
１および第２本体通路開口部３５８ａ、３５８ｂから、通路１３９、１４１および突出リ
ム１３７の出口オリフィス１３８を通り、噴出口１４６の底面、バルブ部材１５０の一部
および突出リム１３７によって囲まれた領域に延在する。インサート１３０のバルブ部材
１５０は上述のバルブ部材５０と同じであり、図１９に示す様に、第１および第２飲料成
分の吐出経路を遮断する閉位置と、第１および第２飲料成分が出口経路を通って流れる開
位置（図示せず）との間で移動可能である。
【００７５】
さらに別の例示的実施形態によるキャップ２２０を図２０に示す。キャップ１２０と同
様に、キャップ２２０は容器３００ａ、３００ｂと使用するように構成され、図２１に示
す様に、容器３００ａ、３００ｂの頸状部３１５ａ、３１５ｂに取り付けることができる
。キャップ２２０はその周囲に下がるスカート２２４を有する上壁２２３を含む。隆起し
た噴出口２４６は上壁２２３を通って延在する開口部２４８を画定する。キャップ２２０
は開位置と閉位置との間を移動可能で、蓋２２６が閉位置にある場合に噴出口２４６を覆
うように構成される。図２１に示す蓋２２６は図１９に示す蓋１２６と同じであり、別途
説明しない。
【００７６】
キャップ２２０は、図２０に示す様に、上壁２２３の下側から下がる２つの略弓形フラ
ンジ２２８ａ、２２８ｂを有する。キャップ２２０のフランジ２２８ａ、２２８ｂは、図
１８および図２０に示す様に、キャップ１２０のフランジ１２８ａ、１２８ｂよりも短く
、より小さな曲率半径を有する。キャップ１２０のフランジ１２８ａ、１２８ｂと同様に
、キャップ２２０のフランジ２２８ａ、２２８ｂは相互に対向し、以下により詳しく記載
するように、容器３００ａ、３００ｂの頸状部３１５ａ、３１５ｂの外面と係合するよう
に構成される。
【００７７】
キャップ２２０のフランジ２２８ａ、２２８ｂの遠位部は、図２０および図２１に示す
様に、内側に延在する傾斜部２６４ａ、２６４ｂをそれぞれ含む。頸状部３１５ａ、３１
５ｂの外面はそれぞれ下方に傾斜した円周傾斜部３６２ａ、３６２ｂを含む。キャップ２
２０のフランジ２２８ａ、２２８ｂの傾斜部２６４ａ、２６４ｂと容器３００ａ、３００
ｂの頸状部３１５ａ、３１５ｂの傾斜部３６２ａ、３６２ｂとは、キャップ２２０を頸状
部３１５ａ、３１５ｂから外そうとした場合と比較して、キャップ２２０が頸状部３１５
ａ、３１５ｂの周りを下方に押されると、より簡単に相互に摺動するように構成される。
このようにしてキャップ２２０は容器３００ａ、３００ｂの頸状部３１５ａ、３１５ｂに
取り付けられ、保持される。
【００７８】
キャップ２２０を頸状部３１５ａ、３１５ｂに取り付けるために、フランジ２２８ａ、
２２８ｂの傾斜部２６４ａ、２６４ｂは頸状部３１５ａ、３１５ｂの傾斜部３６２ａ、３
６２ｂに沿って摺動し、図２１に示す様に、頸状部３１５ａ、３１５ｂおよび／またはキ
ャップ２２０のフランジ２２８ａ、２２８ｂは、それぞれの傾斜部２６４ａ、２６４ｂに
隣接してレッジが形成され、３６２ａ、３６２ｂが相互にインターロックするまで互いに
離れて屈曲し、キャップ２２０が容器３００ａ、３００ｂの頸状部３１５ａ、３１５ｂか
ら外れるのを制限している。
【００７９】
キャップ２２０は、図２０および図２１に示す様に、キャップ２２０に連結された例示
的インサート２３０を含む。インサート２３０は一部が円形であるが、４つの凹部２３１
を含み、これによってインサート２３０はその少なくとも一部が弓形フランジ２２８ａ、
２２８ｂの間の領域の外に位置する。インサート２３０は上壁２３３と、上壁２３３から
下方に下がる対向する一対の略弓形フランジ２３４、２３６とを含む。図示する形態にお
いて、フランジ１３４、１３６の内側に面する面は、中空の円筒形の突起部１３５、１３
７を含み、これによってキャップ２２０の上壁２２３から下方に下がるピン２２５、２２
７は摩擦嵌合してそこを通過し、インサート２３０がキャップ２２０に取り外し可能に連
結される。
【００８０】
インサート２３０は、図２１に示す様に、出口オリフィス２３８を囲む上方に突出する
環状リム、すなわち弁座２３７も含む。インサート２３０の出口オリフィス２３８にはフ
レキシブルバルブ部材２５０が収容され、これはバルブ部材５０、１５０と同一である。
弁座２３７は図２１に示す様に噴出口２４６の開口部２４８に収容される。
【００８１】
インサート１３０と同様に、インサート２３０は上壁２３３の下側から下がる２つの略
管状部材２３８、２４０も含む。管状部材２３８、２４０は、図２１に示す様に、インサ
ート２３０およびキャップ２２０を容器３００ａ、３００ｂに連結するために、容器３０
０ａ、３００ｂの頸状部３１５ａ、３１５ｂにおける開口部３５８ａ、３５８ｂに摩擦嵌
合して挿入可能に構成される。
【００８２】
シールリング２４２、２４４は、図２０および図２１に示す様に、管状部材２３８、２
４０の各々のベースに近接した管状部材２３８、２４０の周りに位置する。シールリング
２４２、２４４は、管状部材２３８、２４０と容器３００ａ、３００ｂの頸状部３１５ａ
、３１５ｂの内面との間に実質的に水密な接続をそれぞれ提供する。インサート２３０の
上壁２３３は、図２０に示す様に、管状部材２３８、２４０の円周内にそれぞれ位置する
通路２３９、２４１を形成する貫通穴を含む。ユーザが容器３００ａ、３００ｂの内容物
を吐出する間、インサート２３０の通路２３９、２４１は、以下により詳細を記載するよ
うに、１つまたは複数の液体を容器３００ａ、３００ｂの内部から流出させる。
【００８３】
インサート２３０は、図２０に示す様に、２つの下方に延在する略弓形フランジ２４６
、２４８を含む。フランジ２４６、２４８は、フランジ２３４、２３６よりも、インサー
ト２３０の上壁２３３から長い距離を下方に延在する。フランジ２４６、２４８は、キャ
ップ２２０の弓形フランジ２２８ａ、２２８ｂに対して、管状部材２３８、２４０の両側
に位置する。キャップ２２０のフランジ２４６、２４８は、図１８および図２０に示す様
に、キャップ１２０のフランジ１４６ａ、１４６ｂ, １４８ａ、１４８ｂよりも長いが、
より小さな曲率半径を持つ。フランジ２４６、２４８の大きさ、数および位置はほんの一
例として示したものであり、適切な大きさの適切な任意の数のフランジを、管状部材２３
８、２４０に隣接する任意の適切な配置で設置することができると理解されたい。
【００８４】
インサート２３０のフランジ２４６、２４８は、少なくとも一部が容器３００ａ、３０
０ｂの頸状部３１５ａ、３１５ｂを囲むような大きさと形状である。具体的には、キャッ
プ２２０と容器３００ａ、３００ｂとが図２１に示す様に組み付けられた場合、インサー
ト２３０の管状部材２３８、２４０は頸状部３１５ａ、３１５ｂ内に少なくとも一部が摩
擦嵌合して配置され、キャップ２２０のフランジ２２８ａ、２２８ｂとインサート２３０
のフランジ２４６、２４８とは、少なくとも一部が頸状部３１５ａ、３１５ｂの外部の周
りに摩擦嵌合するように配置される。
【００８５】
キャップ２２０のフランジ２２８ａ、２２８ｂは、図２１に示す様に、フランジ２２８
ａ、２２８ｂの遠位端が傾斜部３６２ａ、３６２ｂの下にそれぞれ延在し、フランジ２４
６、２４８の遠位端がそれぞれ傾斜部３６２ａ、３６２ｂの上に位置するように、インサ
ート２３０のフランジ２４６、２４８のおよそ２倍の長さとなっている。頸状部３１５ａ
、３１５ｂは、少なくとも一部が管状部材２３８、２４０と、フランジ２２８ａ、２２８
ｂ、２４６、２４８との間に保持され、キャップ２２０、インサート２３０および容器３
００ａ、３００ｂの間に確実な嵌合が形成され、消費者による移動および使用の際、キャ
ップ２２０が容器３００ａ、３００ｂから落ちないようにする。
【００８６】
第１および第２飲料成分の吐出、すなわち出口経路は、図２０および図２１に示す様に
、第１および第２本体通路開口部３５８ａ、３５８ｂから、通路２３９、２４１および突
出リム２３７の出口オリフィス２３８を通り、噴出口２４６の底面、バルブ部材２５０の
一部および突出リム２３７によって囲まれた領域に延在する。インサート２３０のバルブ
部材２５０は上述のバルブ部材５０と同一であり、図２１に示す様に、第１および第２飲
料成分の吐出経路を遮断する閉位置と、第１および第２飲料成分が出口経路を通って流れ
る開位置（図示せず）との間で移動可能である。
【００８７】
本明細書に記載する上述の容器は、原液またはその他の内容物を絞って吐出させる弾性
側壁を有する。具体的には、容器１０の本体１２は弾性体であってもよい。弾性とは、絞
られない場合、その本来の構成に戻る、または少なくとも実質的に戻るということである
。さらに、容器には、側壁の変形、すなわち絞ることのできる側壁の度合いを制限するた
めの構造的な制限手段を任意選択で設けることができる。これは内容物の容器からの一貫
した排出に有利に貢献する。
【００８８】
図面および上述の記載は、容器の形態および構成や、組み付けおよび動作の詳細に関す
る方法のみを表すように意図されたものではない。形態および部品の割合の変更ならびに
これらの置き換えは、状況によって必要と認められる場合に考慮される。
【図１】
2019031333.tif 000003
【図２】
2019031333.tif 000004
【図３】
2019031333.tif 000005
【図４】
2019031333.tif 000006
【図５】
2019031333.tif 000007
【図６】
2019031333.tif 000008
【図７】
2019031333.tif 000009
【図８】
2019031333.tif 000010
【図９】
2019031333.tif 000011
【図１０】
2019031333.tif 000012
【図１１】
2019031333.tif 000013
【図１２】
2019031333.tif 000014
【図１３】
2019031333.tif 000015
【図１４】
2019031333.tif 000016
【図１５】
2019031333.tif 000017
【図１６】
2019031333.tif 000018
【図１７】
2019031333.tif 000019
【図１８】
2019031333.tif 000020
【図１９】
2019031333.tif 000021
【図２０】
2019031333.tif 000022
【図２１】
2019031333.tif 000023
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
吐出前に第１液体と第２液体とを分離する容器であって、
前記第１液体を含み、第１本体通路開口部を有する第１封入本体と、
前記第２液体を含み、第２本体通路開口部を有する第２封入本体であって、前記第２本体通路開口部が前記第１本体通路開口部に隣接する第２封入本体と、
共有キャップであって、該共有キャップを前記第１および第２本体にそれぞれ結合するように構成された第１および第２弓形フランジを含み、吐出孔を有する共有キャップと、
前記第１および第２本体の前記通路開口部と前記共有キャップとの間に位置するインサートであって、第１吐出開口部および該第１吐出開口部の周りの第１管状部材と、第２吐出開口部および該第２吐出開口部の周りの第２管状部材と、少なくとも一部が前記第１管状部材の周りに位置し、前記インサートを前記第１封入本体に連結するように構成された第１の対の弓形フランジと、少なくとも一部が前記第２管状部材の周りに位置し、前記インサートを前記第２封入本体に連結するように構成された第２の弓形フランジとを含み、前記インサートの前記第１および第２管状部材と前記第１および第２吐出開口部は第１および第２吐出経路を画定し、該経路は各々前記第１および第２本体通路開口部と流体連通する上流入口と前記吐出孔と流体連通する下流出口とを有するインサートと、
バルブであって、前記第１および第２吐出経路から前記吐出孔への流れを遮断して前記バルブの上流で前記第１および第２液体を分離する閉位置から、前記第１および第２吐出経路と前記吐出孔とを通して前記第１および第２液体を前記容器から吐出する開位置まで移動可能なバルブとを備える容器。
【請求項２】
請求項１に記載の容器において、前記インサートは前記吐出開口部を囲む上方に突出する弁座を含む容器。
【請求項３】
請求項２に記載の容器において、フレキシブルバルブ部材は前記弁座に収容される容器。
【請求項４】
請求項１に記載の容器において、前記第１および第２管状部材は少なくとも一部が前記第１および第２本体通路開口部内にそれぞれ位置する容器。
【請求項５】
請求項１に記載の容器において、前記第１および第２管状部材は前記第１および第２本体通路開口部の内面とそれぞれ摩擦嵌合する容器。
【請求項６】
請求項１に記載の容器において、前記第１および第２管状部材の各々の周りに位置するシールリングをさらに備える容器。
【請求項７】
請求項１に記載の容器において、前記インサートの前記第１および第２の対のフランジは前記共有キャップの前記第１および第２弓形フランジの各々よりも短い容器。
【請求項８】
請求項１に記載の容器において、前記第１および第２封入本体の各々は頸状部と該頸状部の周りに下方に延在する傾斜部とを含み、前記共有キャップの前記第１および第２弓形フランジの各々は、前記第１および第２封入本体のそれぞれの前記傾斜部に連結するように構成された内側に延在する傾斜部を含む遠位部を有する容器。
【請求項９】
請求項１に記載の容器において、前記第１および第２封入本体は２つの分離された容器である容器。
【請求項１０】
吐出前に第１液体と第２液体とを分離する容器であって、
前記第１液体を含み、第１本体通路開口部を有する第１封入本体と、
前記第２液体を含み、第２本体通路開口部を有する第２封入本体であって、前記第２本体通路開口部が前記第１本体通路開口部と隣接する第２封入本体と、
共有キャップであって、該共有キャップを前記第１および第２本体にそれぞれ連結するように構成された第１および第２弓形フランジを含み、吐出孔を有する共有キャップと、
前記第１および第２本体の前記通路開口部と前記共有キャップとの間に位置するインサートであって、第１吐出開口部および該第１吐出開口部の周りの第１管状部材と、第２吐出開口部および該第２吐出開口部の周りの第２管状部材と、少なくとも一部が前記第１管状部材の周りの前記共有キャップの前記第１フランジの反対側に位置し、前記インサートを前記第１封入本体に連結するように構成された第１弓形フランジと、少なくとも一部が前記第２管状部材の周りの前記共有キャップの前記第２フランジの反対側に位置し、前記インサートを前記第２封入本体に連結するように構成された第２弓形フランジとを含み、前記インサートの前記第１および第２管状部材と前記第１および第２吐出開口部とは第１および第２吐出経路を画定し、これらは各々前記第１および第２本体通路開口部と流体連通する上流入口と、前記吐出孔と流体連通する下流出口とを備えるインサートと、
バルブであって、前記第１および第２吐出経路から前記吐出孔への流れを遮断して前記バルブの上流で第１および第２液体を分離する閉位置から、前記第１および第２吐出経路および前記吐出孔を通して前記第１および第２液体を前記容器から吐出する開位置まで移動可能なバルブとを備える容器。
【請求項１１】
請求項１０に記載の容器において、前記インサートは前記吐出開口部を囲む上方に突出する弁座を含む容器。
【請求項１２】
請求項１１に記載の容器において、フレキシブルバルブ部材は前記弁座に収容される容器。
【請求項１３】
請求項１０に記載の容器において、前記第１および第２管状部材は少なくとも一部が前記第１および第２本体通路開口部内にそれぞれ位置する容器。
【請求項１４】
請求項１０に記載の容器において、前記第１および第２管状部材は前記第１および第２本体通路開口部の内面とそれぞれ摩擦嵌合する容器。
【請求項１５】
請求項１０に記載の容器において、前記第１および第２管状部材のそれぞれの周りに位置するシールリングをさらに備える容器。
【請求項１６】
請求項１０に記載の容器において、前記インサートの前記第１および第２弓形フランジの各々は前記共有キャップの前記第１および第２弓形フランジの各々よりも短い容器。
【請求項１７】
請求項１０に記載の容器において、前記第１および第２封入本体の各々は、頸状部と該頸状部の周りを下方に延在する傾斜部とを含み、前記共有キャップの前記第１および第２弓形フランジの各々は、前記第１および第２封入本体のそれぞれの前記傾斜部に連結するように構成された内側に延在する傾斜部を含む遠位部を有する容器。
【請求項１８】
請求項１０に記載の容器において、前記第１および第２封入本体は２つの分離された容器である容器。
【請求項１９】
吐出前に第１液体と第２液体とを分離する容器であって、
前記第１液体を含み、第１本体通路開口部を有する第１封入本体と、
前記第２液体を含み、第２本体通路開口部を有する第２封入本体であって、前記第２本体通路開口部は前記第１本体通路開口部に隣接する第２封入本体と、
前記第１および第２本体のうちの少なくとも１つに固定された共有キャップであって、第１吐出開口部および第２配開口部を有する共有キャップと、
前記第１および第２本体の前記通路開口部と前記共有キャップとの間に位置するインサートであって、前記第１本体通路開口部と流体連通する上流入口と前記第１吐出開口部と流体連通する下流出口とを有する第１吐出経路と、前記第２本体通路開口部と流体連通する上流入口と前記第２吐出開口部と流体連通する下流出口とを有する第２吐出経路とを画定し、前記吐出経路の各々は、バルブであって、前記封入本体内の各々の圧力に応じて、前記バルブの流れを制限する閉構成と前記バルブ内に流す開構成との間で移動可能なバルブを有するインサートとを備える容器。
【請求項２０】
請求項１９に記載の容器において、前記第１および第２本体通路開口部の各々は、前記第１および第２吐出開口部の各々の最大断面積よりも大きな最大断面積を有する容器。
【請求項２１】
請求項１９に記載の容器において、前記共有キャップの上壁の第１および第２開口部を通って延在する第１および第２の隆起した噴出口をさらに備え、該第１噴出口は第１吐出孔を含み、該第２噴出口は第２吐出孔を含む容器。
【請求項２２】
請求項２１に記載の容器において、前記第１および第２噴出口はダックビルバルブである容器。
【請求項２３】
請求項１９に記載の容器において、前記第１および第２本体の前記通路開口部と前記インサートとの間に位置するガスケットをさらに備える容器。
【請求項２４】
請求項１９に記載の容器において、前記第１封入本体および前記第２封入本体は前記容器内に並んで位置する容器。
【請求項２５】
請求項１９に記載の容器において、前記第１封入本体および前記第２封入本体は該第１封入本体を該第２封入本体から分離するように構成された共有壁を共有する容器。
【請求項２６】
請求項１９に記載の容器において、前記第１封入本体および前記第２封入本体は、一体のブロー成形または射出成形構造である容器。
【請求項２７】
請求項２１に記載の容器において、前記第１および第２噴出口が相互に略平行である容器。
【請求項２８】
請求項１９に記載の容器から第１液体および第２液体を吐出する方法であって、
前記第１封入本体の内部容積を減少させて前記第１液体の少なくとも一部を前記第１封入本体から出して、前記第１吐出開口部の前記吐出孔から第１液体噴射で排出するステップと、
前記第２封入本体の内部容積をほぼ同時に減少させて前記第２液体の少なくとも一部を前記第２封入本体から出して、前記第２吐出開口部の前記吐出孔から第２液体噴射で排出するステップとを含む方法。
【外国語明細書】
2019031333000001.pdf